(57)【要約】【課題】火災発生後に火災発生状況を確認することができるインターホンシステム等を提供する。【解決手段】住宅内に設置された受託火災警報器３と、室内に設置され各種のセキュリティ情報を表示する表示部１２を備えたインターホン親機１（セキュリティモニタ）とを備えたインターホンシステム（セキュリティシステム）において、インターホン親機１は、住宅内に設置された住宅火災警報器３と接続され、当該住宅火災警報器３から所定時間ごとに煙濃度情報又は温度情報を受信し、現在から所定の情報保持期間だけ遡った期間に亘って受信された煙濃度情報又は温度情報を記憶しておき、記憶された煙濃度情報又は温度情報を表示部１２により表示可能とする。火災時には直前に記憶された煙濃度情報又は温度情報を書き換え不能とする。【選択図】図１
2010009233.tif 000002
【特許請求の範囲】
【請求項１】
住宅内に設置された火災警報器と、
室内に設置され、各種のセキュリティ情報を表示する表示手段を備えたセキュリティモニタとを備えたセキュリティシステムにおいて、
前記セキュリティモニタは、
住宅内に設置された火災警報器と接続され、当該火災警報器から所定時間ごとに煙濃度情報又は温度情報を受信する受信手段と、
現在から所定の情報保持期間だけ遡った期間に亘って前記受信手段により受信された煙濃度情報又は温度情報を記憶する記憶手段とを備え、
前記記憶手段に記憶された煙濃度情報又は温度情報を前記表示手段により表示可能とすること
を特徴とするセキュリティシステム。
【請求項２】
前記受信手段により、前記火災警報器から送出された火災検知信号を受信した場合には、前記記憶手段に記憶された煙濃度情報又は温度情報の書き換えを禁止することを特徴とする請求項１に記載のセキュリティシステム。
【請求項３】
室内に設置され、住宅内に設置された火災警報器と接続されたセキュリティモニタであって、
住宅内に設置された火災警報器と接続され、当該火災警報器から所定時間ごとに煙濃度情報又は温度情報を受信する受信手段と、
現在から所定の情報保持期間だけ遡った期間に亘って前記受信手段により受信された煙濃度情報又は温度情報を記憶する記憶手段と、
前記記憶手段に記憶された煙濃度情報又は温度情報を表示する表示手段と
を備えることを特徴とするセキュリティモニタ。
【請求項４】
前記受信手段により、前記火災警報器から送出された火災検知信号を受信した場合には、前記記憶手段に記憶された煙濃度情報又は温度情報の書き換えを禁止することを特徴とする請求項３に記載のセキュリティモニタ。
【発明の詳細な説明】
【技術分野】
【０００１】
本発明は、火災警報器とセキュリティモニタとの組み合わせによって構成されたセキュリティシステム、当該セキュリティシステムを構成するセキュリティモニタに関する。
【背景技術】
【０００２】
従来より、セキュリティシステムによって自宅のセキュリティを行う技術としては、下記の特許文献１に記載されたものが知られている。この特許文献１には、インターホン親機に火災警報器を接続し、火災時にはインターホン親機から警報音を鳴動させている。
【特許文献１】特開平８−０７０３６１号公報
【発明の開示】
【発明が解決しようとする課題】
【０００３】
しかしながら、上述の特許文献１に記載されたインターホンシステムでは、インターホン親機によって火災を検知したことを通知することはできるが、火災発生原因や火災発生場所を特定することはできなかった。
【０００４】
そこで、本発明は、上述した実情に鑑みて提案されたものであり、火災発生状況を確認することができるセキュリティシステム、セキュリティモニタを提供することを目的とする。
【課題を解決するための手段】
【０００５】
本発明は、住宅内に設置された火災警報器と、室内に設置され、各種のセキュリティ情報を表示する表示手段を備えたセキュリティモニタとを備えたセキュリティシステムにおいて、セキュリティモニタは、上述の課題を解決するために、住宅内に設置された火災警報器と接続され、当該火災警報器から所定時間ごとに煙濃度情報又は温度情報を受信する受信手段と、現在から所定の情報保持期間だけ遡った期間に亘って前記受信手段により受信された煙濃度情報又は温度情報を記憶する記憶手段とを備え、前記記憶手段に記憶された煙濃度情報又は温度情報を前記表示手段により表示可能とする。
【０００６】
また、本発明は、室内に設置され、住宅内に設置された火災警報器と接続されたセキュリティモニタであって、上述の課題を解決するために、住宅内に設置された火災警報器と接続され、当該火災警報器から所定時間ごとに煙濃度情報又は温度情報を受信する受信手段と、現在から所定の情報保持期間だけ遡った期間に亘って前記受信手段により受信された煙濃度情報又は温度情報を記憶する記憶手段と、前記記憶手段に記憶された煙濃度情報又は温度情報を表示する表示手段とを備える。
【発明の効果】
【０００７】
本発明によれば、セキュリティモニタによって火災警報器から所定時間ごとに煙濃度情報又は温度情報を受信して、現在から所定の情報保持期間だけ遡った期間に亘る煙濃度情報又は温度情報を記憶しておき、当該煙濃度情報又は温度情報を表示することができるので、火災発生時に火災発生状況を確認することができる。
【発明を実施するための最良の形態】
【０００８】
以下、本発明の実施の形態について図面を参照して説明する。
【０００９】
本発明は、例えば図１に示すように構成されたセキュリティシステムとしてのインターホンシステムに適用される。このインターホンシステムは、住宅内のセキュリティモニタとしての室内インターホン親機１に、室内機２、複数の住宅火災警報器３Ａ，３Ｂ，３Ｃ，・・・（以下、総称する場合には単に「住宅火災警報器３」と呼ぶ。）、複数の制御機器４ａ，４ｂ，・・・（以下、総称する場合には単に「制御機器４」と呼ぶ。）が接続されて、セキュリティシステムを構成している。また、このインターホンシステムは、住宅用ドアの施錠・解錠を行う電気錠５と、ドアホン子器６と、センサーカメラ７とが、室外機として、室内インターホン親機１に接続されている。すなわち、以下に説明するインターホンシステムは、本願特徴であるセキュリティモニタを含んだセキュリティシステムを実現する構成を含んでいる。
【００１０】
室内機２は、室内インターホン親機１から供給された制御信号に従って動作し、室内インターホン親機１と同様に、音声信号の送受信、映像の表示や、各種操作が可能となっている。制御機器４は、室内インターホン親機１によって制御される各種機器からなる。
【００１１】
住宅火災警報器３は、図２に示すように、制御回路３１に、検知部３２、警報部３３、表示部３４、操作部３５、送受信回路３６が接続されている。この住宅火災警報器３は、商用電源からの電力が電源部３７を介して供給されて動作する。
【００１２】
このような住宅火災警報器３は、検知部３２によって検出している煙濃度及び／又は温度を制御回路３１によって定期的に取得し、当該煙濃度及び／又は温度を煙濃度情報及び／又は温度情報として、送受信回路３６によって室内インターホン親機１に送信する。この煙濃度情報及び／又は温度情報は、直接的に室内インターホン親機１に送信されても良く、他の住宅火災警報器３を介して室内インターホン親機１に送信されても良い。
【００１３】
また、この住宅火災警報器３は、煙濃度及び／又は温度から火災を検知した場合には、制御回路１１によって警報部３３を動作させて警報音を発生させる。更に、表示部３４は、例えば動作又は非動作状態を表示し、操作部３５は、例えば住宅火災警報器３の各種設定を変更するに際して操作される。
【００１４】
電気錠５は、住宅用ドアの施錠・解錠を電動モータによって切り換えるものであり、当該施錠・解錠状態が室内インターホン親機１によって検知される。
【００１５】
ドアホン子器６は、呼出ボタン、マイク、スピーカなどを備える。このドアホン子器６は、呼出ボタンが操作されたことによって室内インターホン親機１に対して呼出信号を出力する。そして、ドアホン子器６は、マイクによって検出した音声信号を室内インターホン親機１に出力すると共に、室内インターホン親機１から出力された音声信号をスピーカによって音声出力する。
【００１６】
センサーカメラ７は、人体検知センサとカメラとを備えているものである。このセンサーカメラ７は、玄関先などに人物を検知した時に、カメラを作動させて映像を室内インターホン親機１に出力する。
【００１７】
室内インターホン親機１は、図３に示すように、制御回路１１に、セキュリティ情報を表示する表示部（表示手段）１２、記憶部（記憶手段）１３、操作部１４、マイク１５、スピーカ１６、室内機送受信回路（受信手段）１７、室外機送受信回路１８、給電回路１９が接続されて、住宅内におけるセキュリティモニタとして機能する。この室内インターホン親機１は、商用電源からの電力が電源部２０を介して供給されて動作する。
【００１８】
表示部１２は、室内インターホン親機１に組み込まれた液晶ディスプレイからなり、制御回路１１から供給された表示データを用いて各種のセキュリティ情報を表示する。具体的には、センサーカメラ７によって撮像している映像や住宅火災警報器３の状態を示す情報などが表示部１２に表示される。操作部１４は、室内インターホン親機１の表面に設けられた通話ボタンや各種情報を表示させるためのボタンからなり、ユーザに操作される。ユーザの操作は、この操作部１４によって検出されて制御回路１１に操作入力信号として供給される。
【００１９】
マイク１５は、来客時においてドアホン子器６と室内インターホン親機１との間で音声の授受を行うに際して、ユーザの音声信号を生成する。この音声信号は、制御回路１１によって、室外機送受信回路１８を介してドアホン子器６に出力される。スピーカ１６は、来客時においてドアホン子器６から送信された音声信号が供給されて、音声を出力する。また、スピーカ１６は、火災の報知時には、警報音などを出力する。
【００２０】
記憶部１３は、制御回路１１によって各種情報が書き込まれ、当該書き込まれた各種情報が読み出される。この記憶部１３には、後述するが、住宅火災警報器３が定期的に室内インターホン親機１に対して供給する煙濃度情報及び／又は温度情報が書き込まれる。
【００２１】
室内機送受信回路１７は、住宅火災警報器３、室内機２及び制御機器４と接続されて、当該住宅火災警報器３、室内機２及び制御機器４との間で情報の授受を行う。具体的には、室内機送受信回路１７は、各住宅火災警報器３から、定期的に煙濃度情報及び／又は温度情報を受信して、制御回路１１に出力する。これによって、住宅火災警報器３ごとの煙濃度情報及び／又は温度情報は、記憶部１３に蓄積される。
【００２２】
室外機送受信回路１８は、電気錠５、ドアホン子器６及びセンサーカメラ７と接続されて、当該電気錠５、ドアホン子器６及びセンサーカメラ７との間で情報の授受を行う。具体的には、ドアホン子器６との間で音声信号の授受を行い、センサーカメラ７から出力された映像を受信する。
【００２３】
制御回路１１は、室内インターホン親機１を統括して制御するマイクロコンピュータからなる。この制御回路１１は、住宅火災警報器３から室内機送受信回路１７を介して供給された煙濃度情報及び／又は温度情報を記憶部１３に記憶させる。この煙濃度情報及び／又は温度情報は、各住宅火災警報器３から所定時間毎に送信される。具体的には、図４に示すように、制御回路１１は、例えば３秒〜２０秒といった所定時間Ｔ内において、各住宅火災警報器３に検知情報要求信号を送信し、送信先の住宅火災警報器３から検知情報通知信号を受信する。すなわち、制御回路１１は、住宅火災警報器３が、３Ａ，３Ｂ，３Ｃ，・・・，３Ｘからなる場合、所定時間Ｔ内で、当該３Ａ，３Ｂ，３Ｃ，・・・，３Ｘのそれぞれに検知情報要求信号Ａ，Ｂ，Ｃ，・・・，Ｘを送信し、当該検知情報要求信号Ａ，Ｂ，Ｃ，・・・，Ｘに対する返信である検知情報通知信号Ａ，Ｂ，Ｃ，・・・，Ｘを受信する。そして、制御回路１１は、次の所定時間Ｔには、同じように各住宅火災警報器３に検知情報要求信号を送信して、検知情報通知信号を受信する。
【００２４】
制御回路１１は、住宅火災警報器３ごとに、現在から所定の情報保持期間だけ遡った期間に亘って受信された煙濃度情報又は温度情報を記憶部１３に記憶させる。すなわち、制御回路１１は、常に情報保持期間分の煙濃度情報及び／又は温度情報を蓄積するように、煙濃度情報及び／又は温度情報の更新作業を行う。
【００２５】
そして、制御回路１１は、操作部１４から過去の煙濃度情報及び／又は温度情報を表示させる操作入力信号が供給された場合には、記憶部１３から煙濃度情報及び／又は温度情報を読み出して表示部１２によって表示される。
【００２６】
このように定期的に各住宅火災警報器３についての煙濃度情報及び／又は温度情報を蓄積している状況において、住宅火災警報器３が火災を検知した場合には、住宅火災警報器３から室内インターホン親機１に、火災検知信号が送信される。この時、室内インターホン親機１は、室内機送受信回路１７によって、住宅火災警報器３から送出された火災検知信号を受信した場合には、記憶部１３に記憶された煙濃度情報又は温度情報の書き換えを禁止する。
【００２７】
具体的には、図５に示すように、所定時間Ｔごとに取得した煙濃度情報及び／又は温度情報を、時刻情報及び書き換えフラグと共に記憶部１３に記憶しておく。これにより、室内インターホン親機１は、所定時間Ｔごとに、時刻情報（秒単位でss1，ss2，・・・，ss51，ss52，・・・）と、書き換えフラグと、住宅火災警報器３ごとの情報の種別情報と、住宅火災警報器３ごとの煙濃度情報及び／又は温度情報とを記憶部１３に記憶する。そして、制御回路１１は、新たな煙濃度情報及び／又は温度情報が住宅火災警報器３から供給される毎に、常に情報保持期間分の煙濃度情報及び／又は温度情報を蓄積するように更新作業を行う。この状態にて、時刻情報が「ss52」を受信した後に、ある住宅火災警報器３から火災発生信号が供給されると、制御回路１１は、当該時刻情報が「ss52」よりも前の情報保持期間分の煙濃度情報及び／又は温度情報についての書き換えフラグを「書き換え不能」とする。なお、書き換えフラグを「書き換え不能」とするタイミングは、火災発生信号を受信してから所定時間後にしても良い。
【００２８】
このようにインターホンシステムによれば、室内インターホン親機１によって住宅火災警報器３から所定時間ごとに煙濃度情報又は温度情報を受信して、現在から所定の情報保持期間だけ遡った期間に亘る煙濃度情報又は温度情報を記憶しておき、当該煙濃度情報又は温度情報を表示することができるので、火災発生時に火災発生状況を確認することができる。また、これにより室内インターホン親機１は、火災発生信号が供給された直前での火災状態を表した煙濃度情報及び／又は温度情報を消去せずに、確実に残しておくことが可能となる。
【００２９】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００３０】
【図１】本発明を適用したインターホンシステムのシステム構成図である。
【図２】本発明を適用したインターホンシステムにおける住宅火災警報器のブロック図である。
【図３】本発明を適用したインターホンシステムにおける室内インターホン親機のブロック図である。
【図４】本発明を適用したインターホンシステムにおいて室内インターホン親機が各住宅火災警報器の煙濃度情報及び／又は温度情報を取得する処理を説明するタイミングチャートである。
【図５】本発明を適用したインターホンシステムにおいて、室内インターホン親機による煙濃度情報及び／又は温度情報の保存状態を示す図である。
【符号の説明】
【００３１】
１  室内インターホン親機（セキュリティモニタ）
２  室内機
３  住宅火災警報器
４  制御機器
５  電気錠
６  ドアホン子器
７  センサーカメラ
１１  制御回路
１２  表示部
１３  記憶部
１４  操作部
１５  マイク
１６  スピーカ
１７  室内機送受信回路
１８  室外機送受信回路
１９  給電回路
２０  電源部
３１  制御回路
３２  検知部
３３  警報部
３４  表示部
３５  操作部
３６  送受信回路
３７  電源部
【図１】
2010009233.tif 000003
【図２】
2010009233.tif 000004
【図３】
2010009233.tif 000005
【図４】
2010009233.tif 000006
【図５】
2010009233.tif 000007